(57)【特許請求の範囲】
【請求項１】
仕口部及びその上下に接続される柱が一体化されて２階層分の柱を構成するＰＣ柱部材であって、上下方向に延びるように埋設された柱主筋と、前記仕口部にあたる部分を水平方向に貫通する梁主筋貫通孔とを備えるＰＣ柱部材と、
仕口部及び当該仕口部の両側部に接続される一対の梁が一体化されて２スパン分の梁を構成するＰＣ梁部材であって、水平方向に延びるように埋設された梁主筋と、前記仕口部にあたる部分を上下方向に貫通する柱主筋貫通孔とを備えるＰＣ梁部材と、を用いて柱梁架構の少なくとも一部を構築する方法であって、
前記ＰＣ柱部材の前記仕口部にあたる部分の両側部に、一対の前記ＰＣ梁部材を接合し、この際、一方の前記ＰＣ梁部材の部材端部から突出する前記梁主筋、又は前記一方のＰＣ梁部材の前記梁主筋に接続されるべき接合筋を、前記ＰＣ柱部材の梁主筋貫通孔に挿通させて、その先端を他方の前記ＰＣ梁部材の前記梁主筋に接続された機械式継手内に到達させ、前記機械式継手内にグラウトを充填することにより、前記一対のＰＣ梁部材の梁主筋を継手し、
前記ＰＣ梁部材の前記仕口部にあたる部分の上下に、一対の前記ＰＣ柱部材を接合し、この際、上方の前記ＰＣ柱部材の部材下面から突出する前記柱主筋又は前記上方のＰＣ柱部材の前記柱主筋に接続されるべき接合筋を、前記ＰＣ梁部材の前記柱主筋貫通孔を挿通させて、その先端を下方の前記ＰＣ柱部材の機械式継手内に到達させ、前記機械式継手内にグラウトを充填することにより、前記一対のＰＣ柱部材の柱主筋を継手することを特徴とする方法。
【請求項２】
仕口部及びその上下に接続される柱が一体化されて２階層分の柱を構成するＰＣ柱部材であって、上下方向に延びるように埋設され、その下端が部材下面から突出する柱主筋と、前記仕口部にあたる部分を水平方向に貫通する梁主筋貫通孔と、を備えるＰＣ柱部材と、
仕口部及び当該仕口部の両側部に接続される一対の梁が一体化されて２スパン分の梁を構成する第１のＰＣ梁部材であって、水平方向に延びるように埋設された梁主筋と、前記仕口部にあたる部分を上下方向に貫通する柱主筋貫通孔とを備える第１のＰＣ梁部材と、
１スパン分の梁を構成する第２のＰＣ梁部材であって、水平方向に延びるように埋設された梁主筋を備える第２のＰＣ梁部材と、を用いて柱梁架構の少なくとも一部を構築する方法であって、
前記ＰＣ柱部材の前記仕口部にあたる部分の両側部に、一対の前記第２のＰＣ梁部材を接合し、この際、一方の前記第２のＰＣ梁部材の部材端部から突出する前記梁主筋、又は前記一方の第２のＰＣ梁部材の前記梁主筋に接続されるべき接合筋を、前記ＰＣ柱部材の梁主筋貫通孔に挿通させて、その先端を他方の前記第２のＰＣ梁部材の前記梁主筋に接続された機械式継手内に到達させ、前記機械式継手内にグラウトを充填することにより、前記一対の第２のＰＣ梁部材の梁主筋を継手し、
前記第１のＰＣ梁部材の前記仕口部にあたる部分の上下に、一対の前記ＰＣ柱部材を接合し、この際、上方の前記ＰＣ柱部材の部材下面から突出する前記柱主筋又は前記上方のＰＣ柱部材の前記柱主筋に接続されるべき接合筋を、前記第１のＰＣ梁部材の前記柱主筋貫通孔を挿通させて、その先端を下方の前記ＰＣ柱部材の機械式継手内に到達させ、前記機械式継手内にグラウトを充填することにより、前記一対のＰＣ柱部材の柱主筋を継手することを特徴とする方法。
【請求項３】
仕口部及びその上下に接続される柱が一体化されて２階層分の柱を構成するＰＣ柱部材であって、上下方向に延びるように埋設された柱主筋と、前記仕口部にあたる部分を水平方向に貫通する梁主筋貫通孔とを備えるＰＣ柱部材と、
仕口部及び当該仕口部の両側部に接続される一対の梁が一体化されて２スパン分の梁を構成するＰＣ梁部材であって、水平方向に延びるように埋設された梁主筋と、前記仕口部にあたる部分を上下方向に貫通する柱主筋貫通孔とを備えるＰＣ梁部材と、を用いて少なくとも一部が構築された柱梁架構であって、
前記ＰＣ柱部材の前記仕口部にあたる部分の両側部には、一対の前記ＰＣ梁部材が接合され、当該仕口部において、一方の前記ＰＣ梁部材の部材端部から突出する前記梁主筋、又は前記一方のＰＣ梁部材の前記梁主筋に接続されるべき接合筋が、前記ＰＣ柱部材の梁主筋貫通孔に挿通して、その先端が他方の前記ＰＣ梁部材の前記梁主筋に接続された機械式継手内に到達し、前記機械式継手内にグラウトが充填されることにより、前記一対のＰＣ梁部材が梁主筋を継手されており、
前記ＰＣ梁部材の前記仕口部にあたる部分の上下には、一対の前記ＰＣ柱部材を接合され、当該仕口部において、上方の前記ＰＣ柱部材の部材下面から突出する前記柱主筋又は前記上方のＰＣ柱部材の前記柱主筋に接続されるべき接合筋が、前記ＰＣ梁部材の前記柱主筋貫通孔を挿通して、その先端が下方の前記ＰＣ柱部材の機械式継手内に到達し、前記機械式継手内にグラウトが充填されることにより、前記一対のＰＣ柱部材の柱主筋が継手されていることを特徴とする柱梁架構。
【請求項４】
仕口部及びその上下に接続される柱が一体されて２階層分の柱を構成するＰＣ柱部材であって、上下方向に延びるように埋設され、その下端が部材下面から突出する柱主筋と、前記仕口部にあたる部分を水平方向に貫通する梁主筋貫通孔と、を備えるＰＣ柱部材と、
仕口部及び当該仕口部の両側部に接続される一対の梁が一体化されて２スパン分の梁を構成する第１のＰＣ梁部材であって、水平方向に延びるように埋設された梁主筋と、前記仕口部にあたる部分を上下方向に貫通する柱主筋貫通孔とを備える第１のＰＣ梁部材と、
１スパン分の梁を構成する第２のＰＣ梁部材であって、水平方向に延びるように埋設された梁主筋を備える第２のＰＣ梁部材と、を用いて少なくとも一部が構築された柱梁架構であって、
前記ＰＣ柱部材の前記仕口部にあたる部分の両側部には、一対の前記第２のＰＣ梁部材が接合され、当該仕口部において、一方の前記第２のＰＣ梁部材の部材端部から突出する前記梁主筋、又は前記一方の第２のＰＣ梁部材の前記梁主筋に接続されるべき接合筋が、前記ＰＣ柱部材の梁主筋貫通孔に挿通されて、その先端が他方の前記第２のＰＣ梁部材の前記梁主筋に接続された機械式継手内に到達し、前記機械式継手内にグラウトが充填されることにより、前記一対の第２のＰＣ梁部材の梁主筋が継手されており、
前記第１のＰＣ梁部材の前記仕口部にあたる部分の上下には、一対の前記ＰＣ柱部材が接合され、当該仕口部において、上方の前記ＰＣ柱部材の部材下面から突出する前記柱主筋又は前記上方のＰＣ柱部材の前記柱主筋に接続されるべき接合筋が、前記第１のＰＣ梁部材の前記柱主筋貫通孔に挿通されて、その先端が下方の前記ＰＣ柱部材の機械式継手内に到達し、前記機械式継手内にグラウトが充填されることにより、前記一対のＰＣ柱部材の柱主筋が継手されていることを特徴とする柱梁架構。
【発明の詳細な説明】
【技術分野】
【０００１】
本発明は、ＰＣ部材を用いて柱梁架構を構築する方法及びこの方法により構築された柱梁架構に関する。
【背景技術】
【０００２】
従来より、施工期間短縮のため、鉄筋コンクリート造建物の柱梁架構をＰＣ部材を用いてを構築することが行われている。このようなＰＣ部材を用いた柱梁架構の構築方法として、図１０Ａ〜図１０Ｆに示す方法が用いられている。
＜従来技術１＞
図１０Ａに示す方法では、複数階層の柱及びその上階の仕口部を構成し、仕口部の側面に鉄筋３５が突出するＰＣ柱部材３２と、このＰＣ柱部材３２の間に両端面から梁主筋が３１突出するＰＣ梁部材３０とを用いている。本方法では、ＰＣ柱部材３２を所定のスパンをあけて上方から建て込み、このＰＣ柱部材３２の間に複数階の梁を構成するＰＣ梁部材３０を上方から建て込み、ＰＣ柱部材３２の鉄筋３５とＰＣ梁部材３０の梁主筋３１とを継手し、梁端部を構成するコンクリートを現場で構築することにより柱梁架構を構築する（例えば、特許文献１参照）。
【０００３】
＜従来技術２＞
図１０Ｂに示す方法では、複数階層の柱及びこれら柱の間の仕口部を構成し、部材上面からは柱主筋４３が突出し、仕口部にあたる部分には側面から鉄筋が突出するＰＣ柱部材４２と、中間階の梁を構成し、両端面から梁主筋４１が突出するＰＣ梁部材４０と、上階の仕口部及びこの仕口部の両側の梁の梁端から中間部までを構成し、両端面から梁主筋が突出するＰＣ梁部材４６と、を用いている。本方法では、まず、ＰＣ柱部材４２を所定のスパンをあけて上方から建て込み、このＰＣ柱部材４２の中間階にあたる高さにＰＣ梁部材４０を上方から建て込む。そして、ＰＣ柱部材４２の仕口部から突出する鉄筋と、ＰＣ梁部材４０の梁主筋４１とを継手し、ＰＣ柱部材４２とＰＣ梁部材４０との間にコンクリートを打設する。さらに、各ＰＣ柱部材４２の上部に夫々ＰＣ梁部材４６を上方から下降させて建て込み、ＰＣ梁部材４６の梁主筋４７を継手し、ＰＣ梁部材４６の間にコンクリートを現場打ちすることにより柱梁架構を構築する。
【０００４】
＜従来技術３＞
図１０Ｃに示す方法では、複数層の柱及びこれら柱間の仕口部を構成し、部材上端から突出する柱主筋５４と、柱主筋５４の下端に接続され、部材下面に鉄筋挿入孔が開口する機械式継手５５と、仕口部にあたる部分には側面から側方に突出する鉄筋５６とを有するＰＣ柱部材５３と、複数スパンの梁を構成し、部材端面から梁主筋が突出するとともに仕口部にあたる部分に貫通孔５２が形成されたＰＣ梁部材５０とを用いている。本方法では、ＰＣ梁部材５０は、貫通孔５２を下階のＰＣ柱部材５３の上面から突出する柱主筋５４が挿通するように、ＰＣ柱部材５３の仕口部の間に架け渡し、また、ＰＣ柱部材５３は、下階のＰＣ柱部材５３の、貫通孔５２より上方に突出した柱主筋５４が機械式継手５５内に到達するように建て込むことにより、柱梁架構を構築する（例えば、特許文献２参照）。
【０００５】
＜従来技術４＞
図１０Ｄに示す方法では、下端が下面から突出する柱主筋６５及び柱主筋６５の上端に接続された機械式継手６６を備えるＰＣ柱部材６４と、一端が部材端面から突出する梁主筋６１と、梁主筋６１の他端に接続され、鉄筋挿入孔が部材端面に開口する機械式継手６２と、仕口部にあたる部分に形成された貫通孔６３とを有するＰＣ梁部材６０とを用いている。本方法では、ＰＣ梁部材６０を、その梁主筋６１が隣接するＰＣ梁部材６０の機械式継手内に到達するようにＰＣ柱部材６４の上方に水平方向にスライドさせて建て込み、ＰＣ梁部材６０の貫通孔６３をその下面から突出する柱主筋６５が貫通し、その先端がＰＣ柱部材６４の機械式継手内６６に到達するように建て込むことにより柱梁架構を構築する。
【０００６】
＜従来技術５＞
図１０Ｅに示す方法では、各階の柱脚部から上階の柱脚部までを構成し、仕口部にあたる部分に水平方向に延びる貫通孔７６と、上端から突出する柱主筋７４と、柱主筋７４の下端に接続された機械式継手７５とを有するＰＣ柱部材７３と、部材内に埋設され、一端が部材端面から突出する梁主筋７１と、この梁主筋７１の他端に接続され、部材端面に鉄筋挿入孔が開口する機械式継手７２とを有するＰＣ梁部材７０とを用いている。本方法では、各階層について、ＰＣ柱部材７３を上方から建て込み、ＰＣ梁部材７０をその梁主筋７１がＰＣ柱部材７３の貫通孔７６を挿通し、前回建て込んだＰＣ梁部材７０の機械式継手７２内に到達するように水平方向に移動して建て込む工程と、を繰り返すことにより柱梁架構を構築する（例えば、特許文献３参照）。
【０００７】
＜従来技術６＞
図１０Ｆに示すように、２階層分の柱を構成し、仕口部にあたる部分に水平方向に延びる貫通孔８６が形成されたＰＣ柱部材８３と、一端が部材端面から突出する梁主筋８１と、梁主筋８１の他端に接続され、鉄筋挿入孔が部材端面に開口する機械式継手８２とを有するＰＣ梁部材８０と、を用いている。本方法では、ＰＣ柱部材８３を上方から建て込む工程と、梁を構成するＰＣ梁部材８０を、梁主筋８１がＰＣ柱部材８３の貫通孔８６を挿通し、前回建て込んだＰＣ梁部材８０の機械式継手８１内に到達するように水平方向に移動して建て込む工程と、を繰り返すことにより柱梁架構を構築する。
【特許文献１】特開２００１―２７９８１１公報
【特許文献２】特開２００７―３０８８８５公報
【特許文献３】特開２００６―２２５８９７公報
【発明の開示】
【発明が解決しようとする課題】
【０００８】
ＰＣ部材を用いて柱梁架構を構築する際に施工性を向上させる方法として、
（１）柱主筋の継手の数を減らす。
（２）ＰＣ柱部材の数を減らす。
（３）梁主筋の継手の数を減らす。
（４）ＰＣ梁部材の数を減らす。
（５）梁を構成するコンクリートを現場において打設する箇所を減らす。
（６）ＰＣ部材の運搬効率を向上する。建て方の安定性を向上する
などの方法が考えられる。
【０００９】
上記の各従来技術についてこれらの各項目について検討すると、以下の通りとなる。
＜従来技術１＞
（１）柱継手  階数×約１／２
（２）ＰＣ柱部材  階数×約１／２
（３）梁継手  スパン数×約２
（４）ＰＣ梁部材  スパン数×約１
（５）梁現場打ち箇所  スパン数×約２
（６）ＰＣ柱部材を作成する際に、仕口部より鉄筋を突出させる必要があり、ＰＣ柱部材の製造、運搬が困難。
【００１０】
＜従来技術２＞
（１）柱継手  階数×約１／２
（２）ＰＣ柱部材  階数×約１／２
（３）梁継手  スパン数×約１．５
（４）ＰＣ梁部材  スパン数×約１
（５）梁現場打ち箇所  スパン数×約１．５
（６）ＰＣ柱部材を作成する際に、仕口部より鉄筋を突出させる必要があり、ＰＣ柱部材の製造、運搬が困難。
【００１１】
＜従来技術３＞
（１）柱継手  階数×約１／２
（２）ＰＣ柱部材  階数×約１／２
（３）梁継手  スパン数×約１
（４）ＰＣ梁部材  スパン数×約１／２
（５）梁現場打ち箇所  スパン数×約１
（６）ＰＣ柱部材を作成する際に、仕口部より鉄筋を突出させる必要があり、ＰＣ柱部材の製造、運搬が困難。
【００１２】
＜従来技術４＞
（１）柱継手  階数×約１
（２）ＰＣ柱部材  階数×約１
（３）梁継手  スパン数×約１
（４）ＰＣ梁部材  スパン数×約１
（５）梁現場打ち箇所  無し
（６）運搬効率等良好
【００１３】
＜従来技術５＞
（１）柱継手  階数×約１
（２）ＰＣ柱部材  階数×約１
（３）梁継手  スパン数×約１
（４）ＰＣ梁部材  スパン数×約１
（５）梁現場打ち箇所  無し
（６）運搬効率等良好
【００１４】
＜従来技術６＞
（１）柱継手  階数×約１／２
（２）ＰＣ柱部材  階数×約１／２
（３）梁継手  スパン数×約１
（４）ＰＣ梁部材  スパン数×約１
（５）梁現場打ち箇所  無し
（６）ＰＣ柱部材間にＰＣ梁部材を掛け渡す際に、一方のＰＣ柱部材を建て込んだ後、２階層分のＰＣ梁部材の建て込みが完了するまで、他方のＰＣ柱部材を建て込むことができないため、建て方が不安定。
【００１５】
本発明の目的は、上記の何れの従来技術の方法よりも施工性に優れたＰＣ部材を用いた柱梁架構の構築方法を提供することである。
【課題を解決するための手段】
【００１７】
本発明の柱梁架構の構築方法は、仕口部及びその上下に接続される柱が一体化されて２階層分の柱を構成するＰＣ柱部材であって、上下方向に延びるように埋設された柱主筋と、前記仕口部にあたる部分を水平方向に貫通する梁主筋貫通孔とを備えるＰＣ柱部材と、仕口部及び当該仕口部の両側部に接続される一対の梁が一体化されて２スパン分の梁を構成するＰＣ梁部材であって、水平方向に延びるように埋設された梁主筋と、前記仕口部にあたる部分を上下方向に貫通する柱主筋貫通孔とを備えるＰＣ梁部材と、を用いて柱梁架構の少なくとも一部を構築する方法であって、前記ＰＣ柱部材の前記仕口部にあたる部分の両側部に、一対の前記ＰＣ梁部材を接合し、この際、一方の前記ＰＣ梁部材の部材端部から突出する前記梁主筋、又は前記一方のＰＣ梁部材の前記梁主筋に接続されるべき接合筋を、前記ＰＣ柱部材の梁主筋貫通孔に挿通させて、その先端を他方の前記ＰＣ梁部材の前記梁主筋に接続された機械式継手内に到達させ、前記機械式継手内にグラウトを充填することにより、前記一対のＰＣ梁部材の梁主筋を継手し、前記ＰＣ梁部材の前記仕口部にあたる部分の上下に、一対の前記ＰＣ柱部材を接合し、この際、上方の前記ＰＣ柱部材の部材下面から突出する前記柱主筋又は前記上方のＰＣ柱部材の前記柱主筋に接続されるべき接合筋を、前記ＰＣ梁部材の前記柱主筋貫通孔を挿通させて、その先端を下方の前記ＰＣ柱部材の機械式継手内に到達させ、前記機械式継手内にグラウトを充填することにより、前記一対のＰＣ柱部材の柱主筋を継手することを特徴とする。
【００１８】
また、本発明の柱梁架構の構築方法は、仕口部及びその上下に接続される柱が一体化されて２階層分の柱を構成するＰＣ柱部材であって、上下方向に延びるように埋設され、その下端が部材下面から突出する柱主筋と、前記仕口部にあたる部分を水平方向に貫通する梁主筋貫通孔と、を備えるＰＣ柱部材と、仕口部及び当該仕口部の両側部に接続される一対の梁が一体化されて２スパン分の梁を構成する第１のＰＣ梁部材であって、水平方向に延びるように埋設された梁主筋と、前記仕口部にあたる部分を上下方向に貫通する柱主筋貫通孔とを備える第１のＰＣ梁部材と、１スパン分の梁を構成する第２のＰＣ梁部材であって、水平方向に延びるように埋設された梁主筋を備える第２のＰＣ梁部材と、を用いて柱梁架構の少なくとも一部を構築する方法であって、前記ＰＣ柱部材の前記仕口部にあたる部分の両側部に、一対の前記第２のＰＣ梁部材を接合し、この際、一方の前記第２のＰＣ梁部材の部材端部から突出する前記梁主筋、又は前記一方の第２のＰＣ梁部材の前記梁主筋に接続されるべき接合筋を、前記ＰＣ柱部材の梁主筋貫通孔に挿通させて、その先端を他方の前記第２のＰＣ梁部材の前記梁主筋に接続された機械式継手内に到達させ、前記機械式継手内にグラウトを充填することにより、前記一対の第２のＰＣ梁部材の梁主筋を継手し、前記第１のＰＣ梁部材の前記仕口部にあたる部分の上下に、一対の前記ＰＣ柱部材を接合し、この際、上方の前記ＰＣ柱部材の部材下面から突出する前記柱主筋又は前記上方のＰＣ柱部材の前記柱主筋に接続されるべき接合筋を、前記第１のＰＣ梁部材の前記柱主筋貫通孔を挿通させて、その先端を下方の前記ＰＣ柱部材の機械式継手内に到達させ、前記機械式継手内にグラウトを充填することにより、前記一対のＰＣ柱部材の柱主筋を継手することを特徴とする。
【００２０】
また、本発明の柱梁架構は、仕口部及びその上下に接続される柱が一体化されて２階層分の柱を構成するＰＣ柱部材であって、上下方向に延びるように埋設された柱主筋と、前記仕口部にあたる部分を水平方向に貫通する梁主筋貫通孔とを備えるＰＣ柱部材と、仕口部及び当該仕口部の両側部に接続される一対の梁が一体化されて２スパン分の梁を構成するＰＣ梁部材であって、水平方向に延びるように埋設された梁主筋と、前記仕口部にあたる部分を上下方向に貫通する柱主筋貫通孔とを備えるＰＣ梁部材と、を用いて少なくとも一部が構築された柱梁架構であって、前記ＰＣ柱部材の前記仕口部にあたる部分の両側部には、一対の前記ＰＣ梁部材が接合され、当該仕口部において、一方の前記ＰＣ梁部材の部材端部から突出する前記梁主筋、又は前記一方のＰＣ梁部材の前記梁主筋に接続されるべき接合筋が、前記ＰＣ柱部材の梁主筋貫通孔に挿通して、その先端が他方の前記ＰＣ梁部材の前記梁主筋に接続された機械式継手内に到達し、前記機械式継手内にグラウトが充填されることにより、前記一対のＰＣ梁部材が梁主筋を継手されており、前記ＰＣ梁部材の前記仕口部にあたる部分の上下には、一対の前記ＰＣ柱部材を接合され、当該仕口部において、上方の前記ＰＣ柱部材の部材下面から突出する前記柱主筋又は前記上方のＰＣ柱部材の前記柱主筋に接続されるべき接合筋が、前記ＰＣ梁部材の前記柱主筋貫通孔を挿通して、その先端が下方の前記ＰＣ柱部材の機械式継手内に到達し、前記機械式継手内にグラウトが充填されることにより、前記一対のＰＣ柱部材の柱主筋が継手されていることを特徴とする。
【００２１】
また、本発明の柱梁架構は、仕口部及びその上下に接続される柱が一体されて２階層分の柱を構成するＰＣ柱部材であって、上下方向に延びるように埋設され、その下端が部材下面から突出する柱主筋と、前記仕口部にあたる部分を水平方向に貫通する梁主筋貫通孔と、を備えるＰＣ柱部材と、仕口部及び当該仕口部の両側部に接続される一対の梁が一体化されて２スパン分の梁を構成する第１のＰＣ梁部材であって、水平方向に延びるように埋設された梁主筋と、前記仕口部にあたる部分を上下方向に貫通する柱主筋貫通孔とを備える第１のＰＣ梁部材と、１スパン分の梁を構成する第２のＰＣ梁部材であって、水平方向に延びるように埋設された梁主筋を備える第２のＰＣ梁部材と、を用いて少なくとも一部が構築された柱梁架構であって、前記ＰＣ柱部材の前記仕口部にあたる部分の両側部には、一対の前記第２のＰＣ梁部材が接合され、当該仕口部において、一方の前記第２のＰＣ梁部材の部材端部から突出する前記梁主筋、又は前記一方の第２のＰＣ梁部材の前記梁主筋に接続されるべき接合筋が、前記ＰＣ柱部材の梁主筋貫通孔に挿通されて、その先端が他方の前記第２のＰＣ梁部材の前記梁主筋に接続された機械式継手内に到達し、前記機械式継手内にグラウトが充填されることにより、前記一対の第２のＰＣ梁部材の梁主筋が継手されており、前記第１のＰＣ梁部材の前記仕口部にあたる部分の上下には、一対の前記ＰＣ柱部材が接合され、当該仕口部において、上方の前記ＰＣ柱部材の部材下面から突出する前記柱主筋又は前記上方のＰＣ柱部材の前記柱主筋に接続されるべき接合筋が、前記第１のＰＣ梁部材の前記柱主筋貫通孔に挿通されて、その先端が下方の前記ＰＣ柱部材の機械式継手内に到達し、前記機械式継手内にグラウトが充填されることにより、前記一対のＰＣ柱部材の柱主筋が継手されていることを特徴とする。
【発明の効果】
【００２２】
本発明によれば、ＰＣ柱部材として、複数階層分の柱を構成するＰＣ部材を用いることで、ＰＣ柱部材の個数を削減することができるとともに、柱主筋を継手する箇所を減らすことができる。また、ＰＣ梁部材に柱主筋貫通孔を設け、この柱主筋貫通孔を柱主筋が挿通するようにＰＣ柱部材を建て込み、下階のＰＣ柱部材の機械式継手により継手することで、ＰＣ梁部材の上下に位置するＰＣ柱部材の柱主筋同士を直接継手することができる。
【００２３】
また、ＰＣ柱部材の上面から柱主筋が突出していないため、ＰＣ梁部材を水平方向に移動して建て込むことができる。さらに、ＰＣ梁部材間にＰＣ柱部材が存在する場合であっても、ＰＣ柱部材に梁主筋貫通孔を設けておき、このＰＣ柱部材の梁主筋貫通孔に梁主筋を挿通させることにより、ＰＣ柱部材が間に存在する場合でもＰＣ梁部材同士を継手することができる。このため、従来技術１〜３のように、ＰＣ柱部材から鉄筋を突出させておく必要がなくなり、現場において、この鉄筋とＰＣ梁部材の梁主筋とを継手した後、コンクリートを打設する必要がなくなり、また、梁主筋を継手するために必要な継手を削減できる。
【００２４】
このため、従来技術１〜７の何れに対しても、（１）柱主筋の継手の数、（２）ＰＣ柱部材の数、（３）梁主筋の継手の数、（４）ＰＣ梁部材の数、（５）現場におけるコンクリート打設箇所の数、（６）ＰＣ部材の運搬効率又は建て方の安定性、の何れの項目においても同等あるいは優位となり、施工性を向上し、コストを削減することができる。
【発明を実施するための最良の形態】
【００２５】
以下、本発明の柱梁架構の構築方法の実施形態を図面を参照しながら説明する。
図１は、以下に説明する各実施形態において用いられるＰＣ梁部材１０の一例を示す鉛直断面図であり、図２は、ＰＣ柱部材２０の一例を示す鉛直断面図である。図１に示すように、ＰＣ梁部材１０は、２スパン分の梁１を構成するコンクリートがＰＣ部材により構成されてなる。なお、梁１の外側の仕口部３にあたる部分はＰＣ梁部材１０に含まれていない。また、ＰＣ梁部材１０は、部材内を水平方向全長に亘って延びるように埋設され、一端（図１に示す例では左側端部）が部材側面より突出する梁主筋１１と、梁主筋１１の他端に接続され、鉄筋挿入孔が部材端面に開口する機械式継手１２とを備える。また、ＰＣ梁部材１０の仕口部３Ａにあたる部分には、上下方向に貫通する柱主筋貫通孔１３が形成されている。
【００２６】
また、図２に示すように、ＰＣ柱部材２０は、２階層分の柱２及びその間に挟まれる仕口部３を構成するコンクリートがＰＣ部材により構成されてなる。なお、前記２階層分の柱の上下の仕口部３Ｂにあたる部分を構成するコンクリートはＰＣ柱部材２０に含まれていない。ＰＣ柱部材２０は、部材内を上下方向全長に亘って延びるように埋設され、その下端が部材下面より下方に突出する柱主筋２１と、柱主筋２１の上端に接続され、鉄筋挿入孔が部材上面に開口する機械式継手２２とを備える。また、ＰＣ柱部材２０の仕口部３にあたる部分には水平方向に貫通する梁主筋貫通孔２３が形成されている。
【００２７】
＜第１実施形態＞
以下、本発明の第１実施形態を説明する。図３Ａ〜図３Ｃは、第１実施形態の方法により構築された柱梁架構１００を示す図であり、図３Ａは柱梁架構１００の外周側の面の構成を示す鉛直断面図、図３Ｂは図３ＡにおけるＢ−Ｂ断面図、図３Ｃは図３ＡにおけるＣ−Ｃ断面図である。
【００２８】
本実施形態では、図３Ａに示す柱梁架構の平面における２〜４階の２〜６通りのＰＣ柱部材２０により構成される仕口部３Ｂは、ＰＣ柱部材２０の仕口部３Ｂにあたる部分の両側部に、一対のＰＣ梁部材１０が、一方のＰＣ梁部材１０の梁主筋がＰＣ柱部材２０の梁主筋貫通孔を挿通して、他方のＰＣ梁部材１０の機械式継手内に到達するように建て込まれ、梁主筋同士が継手されるとともに、ＰＣ梁部材１０とＰＣ柱部材２０との間の目地にグラウトが充填されて構成されている。
【００２９】
また、２〜４階及び２〜６通りのＰＣ梁部材１０により構成される仕口部３Ａは、ＰＣ梁部材１０の仕口部３Ａにあたる部分の上下に位置するようにＰＣ柱部材２０を建て込み、その柱主筋がＰＣ梁部材１０の柱主筋貫通孔を挿通して、互いに継手されるとともに、ＰＣ梁部材１０とＰＣ柱部材２０との間の目地にグラウトが充填されて構成されている。
【００３０】
他の実施形態との比較のため、２、４、６通りのように、偶数階の仕口部３ＡはＰＣ梁部材１０に含まれ、奇数階の仕口部３ＢはＰＣ柱部材２０に含まれる柱をパターンＡとし、３、５通りのように偶数階の仕口部３ＢはＰＣ柱部材２０に含まれ、奇数階の仕口部３ＡはＰＣ梁部材１０に含まれる柱をパターンＢとすると、本実施形態の柱梁架構１の外周面ではパターンＡとパターンＢとが交互に並ぶこととなる。
【００３１】
このため、同図に示すように、本実施形態では、柱及び梁の軸方向に沿って、ＰＣ梁部材１０により構成される仕口部３Ａと、ＰＣ柱部材２０により構成される仕口部３Ｂとが交互に並んでいる。
【００３２】
以下、柱梁架構１００を構築する方法を説明する。なお、以下の説明では１通りかつＡ通りを１Ａなどという。
また、ＰＣ部材同士は、部材間の目地、機械式継手内、及び梁主筋貫通孔又は柱主筋貫通孔内にグラウトを充填することで接続されるが、グラウトを充填するタイミングはＰＣ部材を建て込んだ直後でもよいし、他の工程を行った後でもよい。このため、以下の説明では、グラウトを充填する工程については説明を省略するが、この工程はＰＣ部材同士を建て込んだ後の適宜なタイミングに行うものとする。
【００３３】
まず、１階の１Ａ、３Ａ、５Ａ，７Ａの柱を構成するＰＣ柱部材１１１ＡＣ，１１３ＡＣ，１１５ＡＣ，１１７ＡＣを建て込む（Ｓ１〜Ｓ４）。
次に、１階１Ａの仕口部を構成する側面に梁主筋が突出するＰＣ仕口部材２１１Ａを建て込む（Ｓ５）。
【００３４】
次に、１階１Ａ〜２Ａの梁を構成するＰＣ梁部材２１２ＡＢを、その接合端面に開口する梁主筋に接続された機械式継手内に、ＰＣ仕口部材２１１Ａの梁主筋が挿入されるように水平方向に移動させて建て込む（Ｓ６）。なお、ＰＣ梁部材２１２ＡＢは梁主筋の両端に機械式継手が接続されており、これら機械式継手は鉄筋挿入孔が部材端面に開口している。
【００３５】
次に、１〜２階の２Ａの柱を構成するＰＣ柱部材１２２ＡＣを上方から建て込む（Ｓ７）。
次に、１階の２Ａ〜４Ａの梁を構成するＰＣ梁部材２２４ＡＢを水平方向に移動させて建て込む（Ｓ８）。この際、部材端面より突出する梁主筋が、ＰＣ柱部材１２２ＡＣの仕口部３Ｂに形成された梁主筋貫通孔を貫通し、ＰＣ梁部材２１２ＡＢの部材端面に開口する機械式継手内に挿入されるようにする。
【００３６】
次に、１〜２階の４Ａの柱を構成するＰＣ柱部材１２４ＡＣを建て込む（Ｓ９）。
次に、１階の４Ａ〜６Ａの梁を構成するＰＣ梁部材２４６ＡＢを水平方向に移動させて建て込む（Ｓ１０）。この際、部材端面より突出する梁主筋が、ＰＣ柱部材１２４ＡＣの仕口部３Ｂに形成された梁主筋貫通孔を貫通し、ＰＣ梁部材２２４ＡＢの部材端面に開口する機械式継手内に挿入されるようにする。
【００３７】
次に、１〜２階の６Ａの柱を構成するＰＣ柱部材１２６ＡＣを建て込む（Ｓ１１）。
次に、１階の６Ａ〜７Ａの梁を構成するＰＣ梁部材２６７ＡＢを水平方向に移動させて建て込む（Ｓ１２）。この際、部材端面より突出する梁主筋が、ＰＣ柱部材１２６ＡＣの仕口部３Ｂに形成された梁主筋貫通孔を貫通し、ＰＣ梁部材２４６ＡＢの部材端面に開口する機械式継手内に挿入されるようにする。
【００３８】
次に、１階５Ａ〜５Ｂ、７Ａ〜７Ｂの梁を構成するＰＣ梁部材２５ＡＢＢ，２７ＡＢＢを水平方向に移動させて建て込む（Ｓ１３、Ｓ１４）。これらＰＣ梁部材２５ＡＢＢ，２７ＡＢＢは、梁主筋の両端に機械式継手が接続されており、これら機械式継手は部材端面に鉄筋挿入孔が開口している。そして、これらＰＣ梁部材２５ＡＢＢ，２７ＡＢＢを建て込む際には、ＰＣ梁部材２４６ＡＢ、２６７ＡＢの側面から突出する梁主筋が一方の機械式継手内に挿入されるように建て込む。
【００３９】
次に、１〜２階の５Ｂ、７Ｂの柱を構成するＰＣ柱部材１２５ＢＣ，１２７ＢＣを垂直方向に移動させて建て込む（Ｓ１５，Ｓ１６）。なお、このＰＣ柱部材１２５ＢＣ，１２７ＢＣの柱主筋の上端には機械式継手が接続されており、その鉄筋挿入孔が部材上面に開口している。
【００４０】
次に、１階の５Ｂ〜５Ｃ、７Ｂ〜７Ｃの梁を構成するＰＣ梁部材２５ＢＣＢ、２７ＢＣＢを、水平方向に移動させて建て込む（Ｓ１７、Ｓ１８）。この際、部材端面より突出する梁主筋が、ＰＣ柱部材１２５ＢＣ，１２７ＢＣの仕口部に形成された梁主筋貫通孔を貫通し、ＰＣ梁部材２５ＡＢＢ，２７ＡＢＢの部材端面に開口する機械式継手内に挿入されるようにする。
【００４１】
次に、２階の１Ａの柱を構成するＰＣ柱部材２２１ＡＣを、部材下面より突出する柱主筋が、２階の仕口部を構成するＰＣ仕口部材２１１Ａの柱主筋貫通孔を挿通し、その先端がＰＣ柱部材１１１ＡＣの上面に開口する機械式継手内に到達するように上方から建て込む（Ｓ１９）。
次に、２階の１Ａ〜３Ａの梁を構成するＰＣ梁部材３１３ＡＢを水平方向に移動させて建て込む（Ｓ２０）。
【００４２】
次に、２〜３階の３Ａの柱を構成するＰＣ柱部材２３３ＡＣを上方から建て込む（Ｓ２１）。この際、部材下面から突出する柱主筋が、ＰＣ梁部材２２４ＡＢに形成された柱主筋貫通孔を挿通し、ＰＣ柱部材１１３ＡＣの部材上面に開口する機械式継手内に到達するようにする。
【００４３】
次に、ＰＣ柱部材２３３ＡＣの２階の３Ａの仕口部３Ｂにあたる部分に形成された梁主筋貫通孔を通り、先端が梁部材の部材端部に埋設された機械式継手内に到達するようにやとい筋３３３Ａを配筋する（Ｓ２２）。
【００４４】
次に、２階の３Ａ〜５Ａの梁を構成するＰＣ梁部材３３５ＡＢを、２階の３Ａの仕口部３Ｂにあたる部分に配筋したやとい筋３３３Ａの端部が機械式継手内に到達するように、水平方向に移動させて建て込む（Ｓ２３）。
【００４５】
次に、２〜３階の５Ａの柱を構成するＰＣ柱部材２３５ＡＣを、その部材下面から突出する柱主筋が、ＰＣ梁部材２４６ＡＢに形成された柱主筋貫通孔を挿通し、ＰＣ柱部材１１５ＡＣの部材上面に開口する機械式継手内に到達するように、建て込む（Ｓ２４）。
【００４６】
次に、２階の５Ａ〜７Ａの梁を構成するＰＣ梁部材３５７ＡＢを、部材端面から突出する梁主筋が、ＰＣ柱部材２３５ＡＣの梁主筋貫通孔を挿通し、先端がＰＣ梁部材３３５ＡＢの機械式継手内に到達するように建て込む（Ｓ２５）。
【００４７】
次に、２階の７Ａの柱を構成するＰＣ柱部材２２７ＡＣを、その下面から突出する柱主筋が、ＰＣ梁部材２６７ＡＢの柱主筋貫通孔を通り、その先端が７Ａの１階の柱を構成するＰＣ柱部材１１７ＡＣの部材上面に開口する機械式継手内に到達するように、建て込む（Ｓ２６）。
【００４８】
次に、２階の５Ａ〜５Ｃの梁を構成するＰＣ梁部材３５ＡＣＢを水平方向に移動させて建て込む（Ｓ２７）。この際、ＰＣ梁部材３５ＡＣＢの接合端面に開口する機械式継手内に、ＰＣ柱部材２３５ＡＣの側面に突出する梁主筋が挿入されるようにする。
【００４９】
次に、２階の７Ａ〜７Ｃの梁を構成するＰＣ梁部材３７ＡＣＢを建て込む（Ｓ２８）。なお、このＰＣ梁部材３７ＡＣＢは、７Ａの仕口部にあたる部分の側面に梁主筋が突出しており、上記の建て込みの際には、この梁主筋がＰＣ梁部材３５７ＡＢの部材端面に埋設された機械式継手内に挿入されるようにする。
【００５０】
次に、３階の１Ａの柱を構成するＰＣ柱部材３３１ＡＣを、その下面から突出する柱主筋が、ＰＣ梁部材３１３ＡＢの３階の１Ａの仕口部を構成する柱主筋貫通孔を通り、その先端が２階の１Ａの柱を構成するＰＣ柱部材２２１ＡＣの部材上面に開口する機械式継手内に到達するように、建て込む（Ｓ２９）。
【００５１】
次に、３階の１Ａの仕口部を構成する仕口部を構成するＰＣ仕口部材４１１Ａを建て込む（Ｓ３０）。なお、このＰＣ仕口部材４１４Ａは、側面から突出する梁主筋を備える。
次に、３階の１Ａ〜２Ａの梁を構成するＰＣ梁部材４１２ＡＢを、部材端面に開口する機械式継手内に、３階の１Ａの仕口部を構成するＰＣ仕口部材４１１Ａの側面から突出する梁主筋が挿入されるように建て込む（Ｓ３１）。なお、このＰＣ梁部材４１２ＡＢは、梁主筋の両端部に機械式継手が接続されており、これらの機械式継手は夫々部材端面に鉄筋挿入孔が開口している。
【００５２】
次に、ＰＣ梁部材３１３ＡＢの２階の２Ａの仕口部３Ａを構成する柱主筋貫通孔を挿通し、ＰＣ柱部材１２２ＡＣの上面に鉄筋挿入孔が開口する機械式継手内に到達するように、やとい筋３３２Ａを配筋する（Ｓ３２）。
【００５３】
次に、３〜４階の２Ａの柱を構成するＰＣ柱部材３４２ＡＣを、その下面に開口する機械式継手内に上記配筋したやとい筋の先端が挿入されるように建て込む（Ｓ３３）。なお、このＰＣ柱部材３４２ＡＣは、柱主筋の上下両端に機械式継手が接続されており、これら機械式継手の鉄筋挿入孔は、夫々部材上下面に開口している。
【００５４】
次に、３階の２Ａ〜４Ａまでの梁を構成するＰＣ梁部材４２４ＡＢを、その端面から突出する梁主筋が、ＰＣ柱部材３４２ＡＣに形成された梁主筋貫通孔を通り、先端がＰＣ梁部材４１２ＡＢの部材端面に開口する機械式継手内に到達するように建て込む（Ｓ３４）。
【００５５】
次に、３〜４階の４Ａの柱を構成するＰＣ柱部材３４４ＡＣを、その下面から突出する柱主筋が、ＰＣ梁部材３３５ＡＢの柱主筋貫通孔を通り、その先端がＰＣ柱部材１２４ＡＣの部材上面に開口する機械式継手内に到達するように、上方から建て込む（Ｓ３５）。
【００５６】
次に、３階の４Ａ〜６Ａの梁を構成するＰＣ梁部材４４６ＡＢを、その端面から突出する梁主筋が、ＰＣ柱部材３４４ＡＣに形成された梁主筋貫通孔を通り、先端がＰＣ梁部材４２４ＡＢの部材端面に開口する機械式継手内に到達するように建て込む（Ｓ３６）。
【００５７】
次に、３〜４階の６Ａの柱を構成するＰＣ柱部材３４６ＡＣを、その下面から突出する柱主筋が、ＰＣ梁部材３５７ＡＢの柱主筋貫通孔を通り、その先端がＰＣ柱部材１２６ＡＣの部材上面に開口する機械式継手内に到達するように、上方から建て込む（Ｓ３７）。
【００５８】
次に、３階の７Ａの柱を構成するＰＣ柱部材３３７ＡＣを、その下面から突出する柱主筋が、ＰＣ梁部材３７ＡＣＢの柱主筋貫通孔を貫通し、その先端がＰＣ柱部材２２７ＡＣの上面に開口する機械式継手内に到達するように、上方から建て込む（Ｓ３８）。
【００５９】
次に、３階の６Ａ〜７Ａの梁を構成するＰＣ梁部材４６７ＡＢを、その端面から突出する梁主筋が、ＰＣ柱部材３４６ＡＣの梁主筋貫通孔を挿通し、先端がＰＣ梁部材４４６ＡＢの部材端面に開口する機械式継手内に到達するように、水平方向に移動させて建て込む（Ｓ３９）。
【００６０】
次に、３階の５Ａ〜５Ｂの梁を構成するＰＣ梁部材４５ＡＢＢを、その端面に開口する機械式継手内に、ＰＣ梁部材４４６ＡＢの３階の５Ａの仕口部の側面に突出する梁主筋が挿入されるように、水平方向に移動させて建て込む（Ｓ４０）。なお、ＰＣ梁部材４５ＡＢＢは、梁主筋の両端に機械式継手が接続され、その鉄筋挿入孔が部材端面に開口している。
【００６１】
次に、ＰＣ梁部材３５ＡＣＢの柱主筋貫通孔を通り、その先端が、ＰＣ柱部材１２５ＢＣの部材上部に埋設された機械式継手内に到達するように、やとい筋３５５Ｂを配筋する（Ｓ４１）。
【００６２】
次に、３〜４階の５Ｂの柱を構成するＰＣ柱部材３４５ＢＣを、上記のやとい筋３５５Ｂが部材下面に鉄筋挿入孔が開口する機械式継手内に到達するように建て込む（Ｓ４２）。
【００６３】
次に、３階の５Ｂ〜５Ｃを構成するＰＣ梁部材４５ＢＣＢを、その側面から突出する梁主筋が、ＰＣ柱部材３４５ＢＣの梁主筋貫通孔を通り、その先端がＰＣ梁部材４５ＡＢＢの端面に開口する機械式継手内に到達するように建て込む（Ｓ４３）。
【００６４】
次に、３階の７Ａ〜７Ｂの梁を構成するＰＣ梁部材４７ＡＢＢを、その端面に開口する機械式継手内に、３階の７Ｂの仕口部の側面に突出する梁主筋が挿入されるように、水平方向に移動させて建て込む（Ｓ４４）。なお、ＰＣ梁部材４７ＡＢＢは、梁主筋の両端に機械式継手が接続され、その鉄筋挿入孔が部材端面に開口している。
【００６５】
次に、ＰＣ梁部材３７ＡＣＢの柱主筋貫通孔を通り、その先端が、ＰＣ柱部材１２７ＢＣの部材上部に埋設された機械式継手内に到達するように、やとい筋３７７Ｂを配筋する（Ｓ４５）。
【００６６】
次に、３〜４階の７Ｂの柱を構成するＰＣ柱部材３４７ＢＣを、上記のやとい筋３７７Ｂが部材下面に鉄筋挿入孔が開口する機械式継手内に到達するように建て込む（Ｓ４６）。
【００６７】
次に、３階の７Ｂ〜７Ｃを構成するＰＣ梁部材４７ＢＣＢを、その側面から突出する梁主筋が、ＰＣ柱部材３７ＡＣＢの梁主筋貫通孔を通り、その先端がＰＣ梁部材４７ＡＢＢの端面に開口する機械式継手内に到達するように建て込む（Ｓ４７）。
【００６８】
次に、４階の１Ａ、３Ａ、５Ａ、７Ａの柱を構成するＰＣ柱部材４４１ＡＣ，４４３ＡＣ，４４５ＡＣ，４４７ＡＣを、その下面から突出する柱主筋が、夫々ＰＣ仕口部材４１１Ａ，ＰＣ梁部材４２４ＡＢ，４４６ＡＢ，４６７ＡＢの柱主筋挿通孔を挿通し、先端がＰＣ柱部材３３１ＡＣ，２３３ＡＣ，２３５ＡＣ、３３７ＡＣの部材上端に埋設された機械式継手内に到達するように、上方から建て込む（Ｓ４８〜Ｓ５１）。
【００６９】
次に、４階の１Ａ〜３Ａの梁を構成するＰＣ梁部材５１３ＡＢを水平に移動して建て込む（Ｓ５２）。そして、ＰＣ梁部材５１３ＡＢの柱主筋貫通孔を挿通し、先端がＰＣ柱部材４４１ＡＣ，３４２ＡＣの上面に開口する機械式継手内に到達するようにやとい筋５１１Ａ，５２２Ａを配筋する（Ｓ５３）。
【００７０】
次に、４階の３Ａ〜５Ａの梁を構成するＰＣ梁部材５３５ＡＢを、端面から突出する梁主筋の先端がＰＣ梁部材５１３ＡＢの端面に開口する機械式継手内に挿入されるように、水平方向に移動して建て込む（Ｓ５３）。そして、ＰＣ梁部材５３５ＡＢの柱主筋貫通孔を挿通し、先端がＰＣ柱部材の上面に開口する機械式継手内に到達するようにやとい筋５３３Ａ，５４４Ａを配筋する（Ｓ５５）。
【００７１】
次に、４階の５Ａ〜７Ａの梁を構成するＰＣ梁部材５５７ＡＢを、端面から突出する梁主筋の先端がＰＣ梁部材５３５ＡＢの端面に開口する機械式継手内に挿入されるように、水平方向に移動して建て込む（Ｓ５６）。そして、ＰＣ梁部材５５７ＡＢに形成された柱主筋貫通孔を挿通し、先端がＰＣ柱部材４４５ＡＣ，３４６ＡＣの上面に開口する機械式継手内に到達するようにやとい筋５５５Ａ，５６６Ａを配筋する（Ｓ５７）。
【００７２】
次に、４階の５Ａ〜５Ｃの梁を構成するＰＣ梁部材５５ＡＣＢを、その側面に開口する機械式継手内にＰＣ梁部材５５７ＡＢの側面に突出する梁主筋が挿入されるように、水平方向に移動して建て込む（Ｓ５８）。そして、ＰＣ梁部材５５ＡＣＢに形成された柱主筋貫通孔を挿通し、先端がＰＣ柱部材３４５ＢＣの上面に開口する機械式継手内に到達するようにやとい筋５５５Ｂを配筋する（Ｓ５９）。
【００７３】
次に、４階の７Ａ〜７Ｃの梁を構成するＰＣ梁部材５７ＡＣＢを、その側面から突出する梁主筋が、ＰＣ梁部材５５７ＡＢの端面に開口する機械式継手内に挿入されるように、水平方向に移動して建て込む（Ｓ６０）。そして、ＰＣ梁部材５７ＡＣＢの柱主筋貫通孔を挿通し、先端がＰＣ柱部材４４７ＡＣ，３４７ＢＣの上面に開口する機械式継手内に到達するようにやとい筋５７７Ａ、５７７Ｂを配筋する（Ｓ６１）。
以上の工程により、柱梁架構が構築される。
【００７４】
本実施形態によれば、ＰＣ柱部材として２階層分の柱を構成するＰＣ部材を用い、また、ＰＣ梁部材として２スパン分の梁を構成するＰＣ部材を用いることで、柱主筋及び梁主筋を継手するための機械式継手を削減することができる。
【００７５】
ＰＣ柱部材の上面から柱主筋が突出していないため、ＰＣ梁部材を水平方向に移動して建て込むことができる。さらに、ＰＣ梁部材間にＰＣ柱部材が存在する（すなわち、ＰＣ柱部材に仕口部が含まれる）場合であっても、ＰＣ柱部材に梁主筋貫通孔を設けておき、このＰＣ柱部材の梁主筋貫通孔に梁主筋を挿通させることにより、ＰＣ柱部材が間に存在する場合でもＰＣ梁部材同士を継手することができる。このため、従来技術１〜３のように、ＰＣ柱部材から鉄筋を突出させておく必要がなくなり、現場において、この鉄筋とＰＣ梁部材の梁主筋とを継手した後、コンクリートを打設する必要がなくなり、また、梁主筋を継手するために必要な継手を削減できる。
【００７６】
また、ＰＣ梁部材に柱主筋貫通孔を設け、この柱主筋貫通孔を柱主筋が挿通するようにＰＣ柱部材を建て込み、下階のＰＣ柱部材の機械式継手により継手することで、ＰＣ梁部材の上下に位置するＰＣ柱部材の柱主筋同士を継手することができる。
【００７７】
このため、柱主筋を継手するために必要となる機械式継手が階数の約１／２となり、必要となるＰＣ柱部材の数が階数の約１／２となり、梁主筋を継手するために必要となる機械式継手の数がスパン数の約１／２となり、必要となるＰＣ梁部材の数が約１／２となる。また、現場においてコンクリート打設を行う必要がない。このように従来技術１〜７の何れに比べても施工性を向上し、コストを削減することができる。
【００７８】
<第２実施形態>
図４Ａ及び図４Ｂは、第２実施形態の方法により構築された柱梁架構２００を示す図であり、図４Ａは柱梁架構２００の外周側の面の構成を示す鉛直断面図、図４Ｂは図４ＡにおけるＣ−Ｃ断面図である。
図４Ａに示すように、本実施形態では、柱梁架構２００の奇数階の梁は１スパンのＰＣ梁部材１０がＰＣ柱部材２０の中間階に掛け渡されることにより構成されており、偶数階の梁は２スパンのＰＣ梁部材１０が接続されることにより構成されている。すなわち、上記のパターンＡの柱のみで構成されていることとなる。これにより、柱梁架構２００の奇数階の仕口部は、ＰＣ梁部材により構成されており、偶数階の仕口部は、ＰＣ柱部材により構成されることとなる。
【００７９】
以下、柱梁架構の構築方法を説明する。なお、本実施形態においても、１通りかつＡ通りを１Ａなどといい、また、グラウトを充填する工程については説明を省略するが、この工程はＰＣ部材同士を建て込んだ後の適宜なタイミングに行うものとする。
【００８０】
まず、１階の１Ａの柱を構成するＰＣ柱部材１１１ＡＣを建て込む（Ｓ１）。
次に、１階の１Ａの仕口部を構成するＰＣ仕口部材１１１Ａを建て込む（Ｓ２）。なお、このＰＣ仕口部材１１１Ａは上下方向に柱主筋貫通孔が形成され、また、側面から突出する梁主筋を備える。
【００８１】
次に、１階の１Ａ〜２Ａの梁を構成するＰＣ梁部材２１２ＡＢを水平方向に移動させて、ＰＣ仕口部材１１１Ａの側面から突出する梁主筋が部材端部に埋設された機械式継手内に挿入されるように建て込む（Ｓ３）。なお、このＰＣ梁部材２１２ＡＢは梁主筋の両端に機械式継手が接続されており、鉄筋挿入孔が部材端面に開口している。
次に、１〜２階の２Ａの柱を構成するＰＣ柱部材１２２ＡＣを上方から移動させて建て込む（Ｓ４）。
【００８２】
次に、１階の２Ａ〜３Ａの梁を構成するＰＣ梁部材２２３ＡＢを水平方向に移動させて、部材の側面から突出する梁主筋が、ＰＣ柱部材１２２ＡＣに形成された梁主筋貫通孔を挿通し、その先端がＰＣ梁部材２１２ＡＢに埋設された機械式継手内に到達するように建て込む（Ｓ５）。
次に、１〜２階の３Ａの柱を構成するＰＣ柱部材１２３ＡＣを上方から移動させて建て込む（Ｓ６）。
【００８３】
次に、１階の３Ａ〜４Ａの梁を構成するＰＣ梁部材２３４ＡＢを水平方向に移動させて、部材の側面から突出する梁主筋が、ＰＣ柱部材１２３ＡＣに形成された梁主筋貫通孔を挿通し、その先端がＰＣ梁部材２２３ＡＢに埋設された機械式継手内に到達するように建て込む（Ｓ７）。
次に、１〜２階の４Ａの柱を構成するＰＣ柱部材１２４ＡＣを上方から移動させて建て込む（Ｓ８）。
【００８４】
次に、１階の４Ａ〜５Ａの梁を構成するＰＣ梁部材２４５ＡＢを水平方向に移動させて、部材の側面から突出する梁主筋が、ＰＣ柱部材１２４ＡＣに形成された梁主筋貫通孔を挿通し、その先端がＰＣ梁部材２３４ＡＢに埋設された機械式継手内に到達するように建て込む（Ｓ９）。
次に、１〜２階の５Ａの柱を構成するＰＣ柱部材１２５ＡＣを上方から移動させて建て込む（Ｓ１０）。
【００８５】
次に、１階の５Ａ〜６Ａの梁を構成するＰＣ梁部材２５６ＡＢを水平方向に移動させて、部材の側面から突出する梁主筋が、ＰＣ柱部材１２５ＡＣに形成された梁主筋貫通孔を挿通し、その先端がＰＣ梁部材２４５ＡＢに埋設された機械式継手内に到達するように建て込む（Ｓ１１）。
次に、１〜２階の６Ａの柱を構成するＰＣ柱部材１２６ＡＣを上方から移動させて建て込む（Ｓ１２）。
【００８６】
次に、１階の７Ａの柱を構成するＰＣ柱部材１１７ＡＣを建て込む（Ｓ１３）。
次に、１階の６Ａ〜７Ａの梁を構成するＰＣ梁部材２６７ＡＢを水平方向に移動させて、部材の側面から突出する梁主筋が、ＰＣ柱部材１２６ＡＣに形成された梁主筋貫通孔を挿通し、その先端がＰＣ梁部材２５６ＡＢに埋設された機械式継手内に到達するように建て込む（Ｓ１４）。なお、このＰＣ梁部材２６７ＡＢは、側面から梁主筋が突出している。
【００８７】
次に、２階の１Ａの柱を構成するＰＣ柱部材２２１ＡＣを、柱主筋がＰＣ仕口部材１１１Ａの鉄筋挿入孔を挿通し、その先端がＰＣ柱部材１１１Ａの部材上面に鉄筋挿入孔が開口する機械式継手内に到達するように建て込む（Ｓ１５）。
次に、２階の１Ａ〜３Ａの梁を構成するＰＣ梁部材３１３ＡＢを水平方向に移動させて建て込む（Ｓ１６）。
【００８８】
次に、２階の３Ａ〜５Ａの梁を構成するＰＣ梁部材３３５ＡＢを、部材端面から突出する梁主筋がＰＣ梁部材３１３ＡＢの端面に開口する機械式継手内に挿入されるように水平方向に移動させて建て込む（Ｓ１７）。
【００８９】
次に、２階の５Ａ〜７Ａの梁を構成するＰＣ梁部材３５７ＡＢを、部材端面から突出する梁主筋がＰＣ梁部材３３５ＡＢの端面に開口する機械式継手内に挿入されるように水平方向に移動させて建て込む（Ｓ１８）。
【００９０】
次に、２階の７Ａの柱を構成するＰＣ柱部材２２７ＡＣを、その下面から突出する柱主筋がＰＣ柱部材１１７ＡＣの上面に開口する機械式継手内に挿入されるように上方から移動させて建て込む（Ｓ１９）
【００９１】
次に、１階の７Ａ〜７Ｂの梁を構成するＰＣ梁部材２７ＡＢＢを、その部材端面に鉄筋挿入孔が開口する機械式継手内に、ＰＣ梁部材２６７ＡＢの側面から突出する梁主筋が挿入されるように水平に移動して建て込む（Ｓ２０）。なお、このＰＣ梁部材２７ＡＢＢは梁主筋の両端に機械式継手が接続されており、これらの機械式継手は部材端面に鉄筋挿入孔が開口している。
【００９２】
次に、１〜２階の７Ｂの柱を構成するＰＣ柱部材１２７ＢＣを、上方から建て込む（Ｓ２１）。
次に、１階の７Ｂ〜７Ｃの梁を構成するＰＣ梁部材２７ＢＣＢを、部材端面から突出する梁主筋がＰＣ柱部材１２７ＢＣの梁主筋貫通孔を通り、その先端がＰＣ梁部材２７ＡＢＢの部材端面に鉄筋挿入孔が開口する機械式継手内に到達するように水平方向に移動させて建て込む（Ｓ２２）。
【００９３】
次に、２階の７Ａ〜７Ｃの梁を構成するＰＣ梁部材３７ＡＣＢを、その側面から突出する梁主筋がＰＣ梁部材３５７ＡＢの端面に開口する機械式継手内に挿入されるように水平方向に移動させて建て込む（Ｓ２３）。
【００９４】
次に、３階の１Ａの柱を構成するＰＣ柱部材３３１ＡＣを、部材下面より突出する柱主筋がＰＣ梁部材３１３ＡＢの梁主筋貫通孔を挿通し、その先端がＰＣ柱部材２２１ＡＣの上面に鉄筋挿入孔が開口する機械式継手内に到達するように建て込む（Ｓ２４）。
【００９５】
次に、３階の１Ａの仕口部を構成するＰＣ仕口部材１３３Ａを建て込む（Ｓ２５）。なお、このＰＣ仕口部材１３３Ａは上下方向に柱主筋貫通孔が形成され、また、側面から突出する梁主筋を備える。
【００９６】
次に、３階の１Ａ〜２Ａの梁を構成するＰＣ梁部材４１２ＡＢを水平方向に移動させて、ＰＣ仕口部材１３３Ａの側面から突出する梁主筋が部材端部に埋設された機械式継手内に挿入されるように建て込む（Ｓ２６）。なお、このＰＣ梁部材４１２ＡＢは梁主筋の両端に機械式継手が接続されており、鉄筋挿入孔が部材端面に開口している。
【００９７】
次に、３〜４階の２Ａの柱を構成するＰＣ柱部材３４２ＡＣを、部材下面より突出する柱主筋がＰＣ梁部材３１３ＡＢの柱主筋貫通孔を挿通し、その先端がＰＣ柱部材１２２ＡＣの上面に鉄筋挿入孔が開口する機械式継手内に到達するように建て込む（Ｓ２７）。
【００９８】
次に、３階の２Ａ〜３Ａの梁を構成するＰＣ梁部材４２３ＡＢを水平方向に移動させて、部材の側面から突出する梁主筋が、ＰＣ柱部材３４２ＡＣに形成された梁主筋貫通孔を挿通し、その先端がＰＣ梁部材４１２ＡＢに埋設された機械式継手内に到達するように建て込む（Ｓ２８）。
【００９９】
次に、３〜４階の３Ａの柱を構成するＰＣ柱部材３４３ＡＣを、部材下面より突出する柱主筋がＰＣ梁部材３３５ＡＢの柱主筋貫通孔を挿通し、その先端がＰＣ柱部材１２３ＡＣの上面に鉄筋挿入孔が開口する機械式継手内に到達するように建て込む（Ｓ２９）。
【０１００】
次に、３階の３Ａ〜４Ａの梁を構成するＰＣ梁部材４３４ＡＢを水平方向に移動させて、部材の側面から突出する梁主筋が、ＰＣ柱部材３４３ＡＣに形成された梁主筋貫通孔を挿通し、その先端がＰＣ梁部材４２３ＡＢに埋設された機械式継手内に到達するように建て込む（Ｓ３０）。
【０１０１】
次に、３〜４階の４Ａの柱を構成するＰＣ柱部材３４４ＡＣを、部材下面より突出する柱主筋がＰＣ梁部材３３５ＡＢの梁主筋貫通孔を挿通し、その先端がＰＣ柱部材１２４ＡＣの上面に鉄筋挿入孔が開口する機械式継手内に到達するように建て込む（Ｓ３１）。
【０１０２】
次に、３階の４Ａ〜５Ａの梁を構成するＰＣ梁部材４４５ＡＢを水平方向に移動させて、部材の側面から突出する梁主筋が、ＰＣ柱部材３４４ＡＣに形成された梁主筋貫通孔を挿通し、その先端がＰＣ梁部材４３４ＡＢに埋設された機械式継手内に到達するように建て込む（Ｓ３２）。
【０１０３】
次に、３〜４階の５Ａの柱を構成するＰＣ柱部材３４５ＡＣを、部材下面より突出する柱主筋がＰＣ梁部材３５７ＡＢの柱主筋貫通孔を挿通し、その先端がＰＣ柱部材１２５ＡＣの上面に鉄筋挿入孔が開口する機械式継手内に到達するように建て込む（Ｓ３３）。
【０１０４】
次に、３階の５Ａ〜６Ａの梁を構成するＰＣ梁部材４５６ＡＢを水平方向に移動させて、部材の側面から突出する梁主筋が、ＰＣ柱部材３４５ＡＣに形成された梁主筋貫通孔を挿通し、その先端がＰＣ梁部材４４５ＡＢに埋設された機械式継手内に到達するように建て込む（Ｓ３４）。
【０１０５】
次に、３〜４階の６Ａの柱を構成するＰＣ柱部材３４６ＡＣを、部材下面より突出する柱主筋がＰＣ梁部材３５７ＡＢの柱主筋貫通孔を挿通し、その先端がＰＣ柱部材１２６ＡＣの上面に鉄筋挿入孔が開口する機械式継手内に到達するように建て込む（Ｓ３５）。
【０１０６】
次に、３階の７Ａの柱を構成するＰＣ柱部材３３７ＡＣを、部材下面より突出する柱主筋がＰＣ梁部材３７ＡＣＢの柱主筋貫通孔を挿通し、その先端がＰＣ柱部材２２７ＡＣの上面に鉄筋挿入孔が開口する機械式継手内に到達するように建て込む（Ｓ３６）。
【０１０７】
次に、３階の６Ａ〜７Ａの梁を構成するＰＣ梁部材４６７ＡＢを水平方向に移動させて、部材の側面から突出する梁主筋が、ＰＣ柱部材３４６ＡＣに形成された梁主筋貫通孔を挿通し、その先端がＰＣ梁部材４５６ＡＢに埋設された機械式継手内に到達するように建て込む（Ｓ３７）。
【０１０８】
次に、４階の１Ａの柱を構成するＰＣ柱部材４４１ＡＣを、部材下面より突出する柱主筋がＰＣ仕口部材１３３Ａの梁主筋貫通孔を挿通し、その先端がＰＣ柱部材３３１ＡＣの上面に鉄筋挿入孔が開口する機械式継手内に到達するように建て込む（Ｓ３８）。
【０１０９】
次に、４階の１Ａ〜３Ａの梁を構成するＰＣ梁部材５１３ＡＢを水平に移動して建て込む（Ｓ３９）。そして、ＰＣ梁部材５１３ＡＢの柱主筋貫通孔を挿通し、先端がＰＣ柱部材４４１Ｃ，３４２ＡＣの上面に開口する機械式継手内に到達するようにやとい筋５１１Ａ，５２２Ａを配筋する（Ｓ４０）。
【０１１０】
次に、４階の３Ａ〜５Ａの梁を構成するＰＣ梁部材５３５ＡＢを、端面から突出する梁主筋の先端がＰＣ梁部材５１３ＡＢの端面に開口する機械式継手内に挿入されるように、水平方向に移動して建て込む（Ｓ４１）。そして、ＰＣ梁部材５３５ＡＢの柱主筋貫通孔を挿通し、先端がＰＣ柱部材の上面に開口する機械式継手内に到達するようにやとい筋５３３Ａ，５４４Ａを配筋する（Ｓ４２）。
【０１１１】
次に、４階の５Ａ〜７Ａの梁を構成するＰＣ梁部材５５７ＡＢを、端面から突出する梁主筋の先端がＰＣ梁部材５３５ＡＢの端面に開口する機械式継手内に挿入されるように、水平方向に移動して建て込む（Ｓ４３）。そして、ＰＣ梁部材５５７ＡＢに形成された柱主筋貫通孔を挿通し、先端がＰＣ柱部材３４５ＡＣ，３４６ＡＣの上面に開口する機械式継手内に到達するようにやとい筋５５５Ａ，５６６Ａを配筋する（Ｓ４４）。
【０１１２】
次に、４階の７Ａの柱を構成するＰＣ柱部材４４７ＡＣを、部材下面から突出する柱主筋の先端が、ＰＣ梁部材４６７Ａの柱主筋貫通孔を挿通し、その先端がＰＣ柱部材３３７ＡＣの部材上面に鉄筋挿入孔が開口する機械式継手内に到達するように、上方から建て込む（Ｓ４５）。
【０１１３】
次に、３階の７Ａ〜７Ｂの梁を構成するＰＣ梁部材４７ＡＢＢを、その部材端面に鉄筋挿入孔が開口する機械式継手内に、ＰＣ梁部材４６７ＡＢの側面から突出する梁主筋が挿入されるように水平に移動して建て込む（Ｓ４６）。なお、このＰＣ梁部材４７ＡＢＢは梁主筋の両端に機械式継手が接続されており、これらの機械式継手は部材端面に鉄筋挿入孔が開口している。
【０１１４】
次に、３〜４階の７Ｂの柱を構成するＰＣ柱部材３４７ＢＣを、部材下面から突出する柱主筋がＰＣ梁部材３７ＡＣＢの柱主筋貫通孔を挿通し、その先端がＰＣ柱部材１２７ＢＣの上面に鉄筋挿入孔が開口する機械式継手内に到達するように上方から建て込む（Ｓ４７）。
【０１１５】
次に、３階の７Ｂ〜７Ｃの梁を構成するＰＣ梁部材４７ＢＣＢを、部材端面から突出する梁主筋がＰＣ柱部材３４７ＢＣの梁主筋貫通孔を通り、その先端がＰＣ梁部材４７ＡＢＢの部材端面に鉄筋挿入孔が開口する機械式継手内に到達するように水平方向に移動させて建て込む（Ｓ４８）。
【０１１６】
次に、４階の７Ａ〜７Ｃの梁を構成するＰＣ梁部材５７ＡＣＢを、その側面から突出する梁主筋がＰＣ梁部材５５７ＡＢの端面に開口する機械式継手内に挿入されるように水平方向に移動させて建て込む（Ｓ４９）。
【０１１７】
次に、ＰＣ梁部材５７ＡＣＢに形成された柱主筋貫通孔を通り、その先端がＰＣ柱部材４４７ＡＣ、３４７ＢＣ内に到達するようにやとい筋５７７Ａ、５７７Ｂを配筋する（Ｓ５０）。
以上の工程により柱梁架構を構築することができる。
【０１１８】
本実施形態によれば、第１実施形態と比べて、梁主筋を継手するために必要となる機械式継手の数がスパン数の約３／４となる点が異なるものの、同様の効果が得られる。
【０１１９】
＜第３実施形態＞
以下、本発明の第３実施形態を説明する。
図５Ａ及び図５Ｂは、本発明の第３実施形態の方法により構築された柱梁架構３００を示す図であり、図５Ａは柱梁架構３００の外周側の面の構成を示す鉛直断面図、図５Ｂは図５ＡにおけるＢ−Ｂ断面図である。同図に示すように、本実施形態は、本発明を建物の途中階の柱梁架構を構築する場合に適用した場合であり、すでに一部の柱梁架構は構築されている。
【０１２０】
図５Ａに示すように、本実施形態の柱梁架構３００では、２Ａ〜６Ａに向かって、パターンＡ、パターンＢ、パターンＢ、パターンＡ、パターンＢの順序で並んでいる。
かかる構成の柱梁架構においても、図中に示すＳ１〜Ｓ５０の順序でＰＣ柱部材、ＰＣ梁部材を建て込むことにより柱梁架構を構築することができる。
【０１２１】
本実施形態によれば、柱主筋を継手するために必要となる機械式継手が階数の約１／２となり、必要となるＰＣ柱部材の数が階数の約１／２となり、梁主筋を継手するために必要となる機械式継手の数がスパン数の約２／３となり、必要となるＰＣ梁部材の数が約２／３となる。また、現場においてコンクリート打設を行う必要がない。このように従来技術１〜７の何れに比べても施工性を向上し、コストを削減することができる。
【０１２２】
＜第４実施形態＞
以下、本発明の第４実施形態を説明する。
図６は、第４実施形態の方法により構築された柱梁架構４００の外周側の面の構成を示す鉛直断面図である。同図に示すように、本実施形態も、本発明を建物の途中階の柱梁架構を構築する場合に適用した場合であり、すでに一部の柱梁架構は構築されている。
【０１２３】
図６に示すように、本実施形態の柱梁架構４００では、２Ａ〜６Ａに向かって、パターンＡ、パターンＢ、パターンＢ、パターンＢ、パターンＡの順序で並んでいる。
かかる構成の柱梁架構においても、図中に示すＳ１〜Ｓ４０の順序でＰＣ柱部材、ＰＣ梁部材を建て込むことにより柱梁架構を構築することができる。
【０１２４】
本実施形態によれば、柱主筋を継手するために必要となる機械式継手が階数の約１／２となり、必要となるＰＣ柱部材の数が階数の約１／２となり、梁主筋を継手するために必要となる機械式継手の数がスパン数の約２／３となり、必要となるＰＣ梁部材の数が約２／３となる。また、現場においてコンクリート打設を行う必要がない。このように従来技術１〜７の何れに比べても施工性を向上し、コストを削減することができる。
なお、上記の各実施形態では、ＰＣ梁部材の仕口部３Ａの上下に建て込まれたＰＣ柱部材の柱主筋を、上方のＰＣ柱部材の下面から柱主筋を突出させ、下方のＰＣ柱部材の柱主筋の上端に機械式継手を接続しておき、上方のＰＣ柱部材の柱主筋の下面から突出する部分を、ＰＣ梁部材の柱主筋貫通孔を挿通させて、下方のＰＣ柱部材の機械式継手まで到達させ、この機械式継手内にグラウトを充填することにより継手したが、本発明はこれに限られない。例えば、図３Ａの２階の２Ａの仕口部のように、上方のＰＣ柱部材の柱主筋の下端に機械式継手を接続し、下方のＰＣ柱部材の柱主筋の上端に機械式継手を接続しておき、下方のＰＣ柱部材の上方にＰＣ梁部材を建て込み、やとい筋をＰＣ梁部材の柱主筋貫通孔を挿通させて、その先端を下方のＰＣ柱部材の機械式継手まで到達させ、上方のＰＣ柱部材を、その機械式継手内にやとい筋の上端が挿入されるように建て込み、これらの機械式継手内にグラウトを充填することにより継手してもよい。
また、これと同様に、上記の各実施形態では、ＰＣ柱部材の仕口部３Ｂの両側に建て込まれたＰＣ梁部材の梁主筋を、一方のＰＣ梁部材の端面から梁主筋を突出させ、他方のＰＣ梁部材の梁主筋の端部に機械式継手を接続しておき、一方のＰＣ梁部材の梁主筋の端面より突出する部分を、ＰＣ柱部材の梁主筋貫通孔を挿通させて、他方のＰＣ梁部材の機械式継手まで到達させ、この機械式継手内にグラウトを充填することにより継手したが、本発明はこれに限られない。例えば、図３Ａの２階の３Ａの仕口部のように、一対のＰＣ梁部材の梁主筋に夫々機械式継手を接続しておき、ＰＣ柱部材を、梁主筋貫通孔が一方のＰＣ梁部材の機械式継手と直線上に並ぶように建て込み、やとり筋をＰＣ柱部材の梁主筋貫通孔を挿通させて、その一端を一方のＰＣ梁部材の機械式継手まで到達させ、他方のＰＣ梁部材を、その機械式継手内にやとい筋の他端が挿入されるように建て込み、これらの機械式継手内にグラウトを充填することにより継手してもよい。
【０１２５】
なお、本発明で用いることができるＰＣ梁部材としては、上記の各実施形態で用いられたものに限らず、図７Ａに示すような、ＰＣ梁部材１１０を用いることも可能である。同図に示すように、隣接するＰＣ梁部材１１０において、一方のＰＣ梁部材１１０における一部の梁主筋１１１Ａは接合端面より突出し、残りの梁主筋１１１Ｂの端部には機械式継手１１２が接続され、また、他方のＰＣ梁部材１１０における上記の接合端面より突出する梁主筋１１１Ａに対応する梁主筋１１１Ｂには、機械式継手１１２が接続され、残りの梁主筋１１１Ａは接合端面より突出している。かかる構成によっても、梁主筋１１１Ａ，１１１Ｂ同士を継手することができる。
【０１２６】
また、本実施形態では、隣接するＰＣ梁部材において、機械式継手を、ＰＣ梁部材の接合端面に鉄筋挿入孔が開口するように埋設するものとしたが、これに限らず、図７Ｂに示すように、一方のＰＣ梁部材２１０Ａには、機械式継手２１２を部材内部に埋設するとともに、埋設された機械式継手２１２の鉄筋挿入孔まで到達するような貫通孔２１４をシース管を用いて形成しておき、また、他方のＰＣ梁部材２１０Ｂには梁主筋２１１を接合端面より突出させておき、他方のＰＣ梁部材２１０Ｂの梁主筋２１１が貫通孔２１４を通り、その先端が機械式継手２１２内に到達するように建て込み、貫通孔２１４及び機械式継手２１２内にグラウトを充填することによっても、梁主筋２１１同士を継手することができる。また、ＰＣ柱部材についても、同様に機械式継手を部材内に埋設するとともに、部材端面から機械式継手の鉄筋挿入孔まで到達するような貫通孔を設ける構成とすることも可能である。
【０１２７】
また、上記の各実施形態では、ＰＣ梁部材を、仕口部と、この仕口部の両側部に接続される梁とを構成するＰＣ部材を用いたが、これに限らず、例えば、図７Ｃに示すように、仕口部３Ａと、この仕口部３Ａの両側部に接続される梁１と、この梁１に接続される仕口部３Ａとを構成するＰＣ梁部材３１０などを用いることができる。また、ＰＣ梁部材は２スパン以上の梁を構成する部材を用いてもよい。
【０１２８】
さらに、図７Ｄに示すように、隣接する仕口部３Ａと、これら仕口部３Ａに挟まれる梁１、及び一方の仕口部３Ａに接続される梁１の中間部までを構成するＰＣ梁部材４１０を用いることも可能である。要するに、ＰＣ梁部材は、仕口部が含まれており、隣接するＰＣ梁部材又はＰＣ柱部材と接合する際に、部材間にコンクリートの打設が必要な隙間が生じなければよい。
さらに、ＰＣ梁部材として、図７Ｅに示すような、仕口部３Ａの上下に接続される柱の柱端部が一体となったＰＣ梁部材５１０を用いることも可能である。この場合、ＰＣ梁部材５１０に含まれる上記の柱端部に接続されるＰＣ柱部材は、この柱端部を除く部分がＰＣ部材で構成されているものを用いる必要がある。
また、これと同様に、ＰＣ柱部材として、図７Ｆに示すような、仕口部の一方又は両側に接続される梁の梁端部が一体となったＰＣ柱部材５２０を用いることも可能である。この場合、ＰＣ柱部材の上記の梁端部に接続されるＰＣ梁部材は、この梁端部を除く部分がＰＣ部材で構成されているものを用いる必要がある。
【０１２９】
また、本実施形態では、中実なＰＣ柱部材を用いたが、これに限らず、図８に示すような、柱の外周部を構成する外郭ＰＣ部材１２０Ａ，１２０Ｂ、１２０Ｃを用いてもよい。この場合、外郭ＰＣ部材１２０Ａ，１２０Ｂ、１２０Ｃには、梁主筋貫通孔１２１Ａ，又は開口１２０Ｂ，１２０Ｃを設けておく必要がある。
【０１３０】
また、本実施形態では、ＰＣ柱部材として、２階層分の柱を構成するＰＣ柱部材を用いているが、これに限らず、２階層を超える柱を構成するＰＣ柱部材を用いてもよい。このような場合、例えば、図９に示すような柱梁架構５００を、Ｓ１〜Ｓ８０の順序で行うことにより構築することができる。
【図面の簡単な説明】
【０１３１】
【図１】ＰＣ梁部材の一例を示す鉛直断面図である。
【図２】ＰＣ柱部材の一例を示す鉛直断面図である。
【図３Ａ】第１実施形態の方法により構築された柱梁架構を示す鉛直断面図である。
【図３Ｂ】図３ＡにおけるＢ−Ｂ断面図である。
【図３Ｃ】図３ＡにおけるＣ−Ｃ断面図である。
【図４Ａ】第２実施形態の方法により構築された柱梁架構を示す鉛直断面図である。
【図４Ｂ】図４ＡにおけるＣ−Ｃ断面図である。
【図５Ａ】第３実施形態の方法により構築された柱梁架構を示す鉛直断面図である。
【図５Ｂ】図５ＡにおけるＣ−Ｃ断面図である。
【図６】第４実施形態の方法により構築された柱梁架構を示す鉛直断面図である。
【図７Ａ】ＰＣ梁部材の別の例を示す鉛直断面図（その１）である。
【図７Ｂ】ＰＣ梁部材の別の例を示す鉛直断面図（その２）である。
【図７Ｃ】ＰＣ梁部材の別の例を示す鉛直断面図（その３）である。
【図７Ｄ】ＰＣ梁部材の別の例を示す鉛直断面図（その４）である。
【図７Ｅ】ＰＣ梁部材の別の例を示す鉛直断面図（その５）である。
【図７Ｆ】ＰＣ柱部材の別の例を示す鉛直断面図である。
【図８】外郭ＰＣ部材を示す斜視図である。
【図９】２階層を超える柱を構成するＰＣ柱部材を用いて構築した柱梁架構を示す鉛直断面図である。
【図１０Ａ】ＰＣ部材を用いて柱梁架構を構築する方法（従来技術１）を説明するための図である。
【図１０Ｂ】ＰＣ部材を用いて柱梁架構を構築する方法（従来技術２）を説明するための図である。
【図１０Ｃ】ＰＣ部材を用いて柱梁架構を構築する方法（従来技術３）を説明するための図である。
【図１０Ｄ】ＰＣ部材を用いて柱梁架構を構築する方法（従来技術４）を説明するための図である。
【図１０Ｅ】ＰＣ部材を用いて柱梁架構を構築する方法（従来技術５）を説明するための図である。
【図１０Ｆ】ＰＣ部材を用いて柱梁架構を構築する方法（従来技術６）を説明するための図である。
【符号の説明】
【０１３２】
１  梁
２  柱
３、３Ａ、３Ｂ  仕口部
１０  ＰＣ梁部材
１１  梁主筋
１２  機械式継手
１３  柱主筋貫通孔
２０  ＰＣ柱部材
２１  柱主筋
２２  機械式継手
２３  梁主筋貫通孔
１００、２００、３００、４００、５００  柱梁架構
【図１】
0005205131.tif 000002
【図２】
0005205131.tif 000003
【図３Ａ】
0005205131.tif 000004
【図３Ｂ】
0005205131.tif 000005
【図３Ｃ】
0005205131.tif 000006
【図４Ａ】
0005205131.tif 000007
【図４Ｂ】
0005205131.tif 000008
【図５Ａ】
0005205131.tif 000009
【図５Ｂ】
0005205131.tif 000010
【図６】
0005205131.tif 000011
【図７Ａ】
0005205131.tif 000012
【図７Ｂ】
0005205131.tif 000013
【図７Ｃ】
0005205131.tif 000014
【図７Ｄ】
0005205131.tif 000015
【図７Ｅ】
0005205131.tif 000016
【図７Ｆ】
0005205131.tif 000017
【図８】
0005205131.tif 000018
【図１０Ａ】
0005205131.tif 000019
【図１０Ｂ】
0005205131.tif 000020
【図１０Ｃ】
0005205131.tif 000021
【図１０Ｄ】
0005205131.tif 000022
【図１０Ｅ】
0005205131.tif 000023
【図１０Ｆ】
0005205131.tif 000024
【図９】
0005205131.tif 000025